(57)【特許請求の範囲】
【請求項１】
スネアドラムなどの打楽器に対してマイクロホンを取り付けるマイクロホンホルダーにおいて、
一端に上記打楽器のリムに係止される係止鉤を有する係止アームおよび上記係止アームの他端からほぼ直角に折り曲げられ上記打楽器のシェルに沿って下方に延在するガイドアームを含むほぼＬ字状に形成されたベース部と、支軸を介して上記ガイドアームに摺動可能かつ回動可能に保持され、上記リムの下端縁に係合する係合溝を有するフック部と、上記フック部を上記係止アーム側に向けて付勢するバネ手段と、上記支軸を中心として上記フック部を所定の角度範囲内で回動させる操作部とを備えていることを特徴とするマイクロホンホルダー。
【請求項２】
上記ガイドアームは上記支軸を上記シェルの高さ方向に沿って摺動案内する第１ガイド溝を備え、上記第１ガイド溝には上記支軸の摺動を不可とし回動を可能とする位置決め部が所定の間隔をもって複数箇所に設けられていることを特徴とする請求項１に記載のマイクロホンホルダー。
【請求項３】
上記支軸は少なくとも１つのＤカット面を有し、上記位置決め部は上記支軸の周面曲率とほぼ同曲率で形成された凹湾曲面からなることを特徴とする請求項２に記載のマイクロホンホルダー。
【請求項４】
上記フック部の上記係合溝を形成している２つの片のうち、反シェル側の一方の片には雌ネジが設けられ、上記操作部は上記ガイドアームを貫通して上記雌ネジと螺合する雄ネジを有し、上記ガイドアームには上記フック部とともに上記雄ネジを移動可能とする第２ガイド溝が形成されていることを特徴とする請求項１ないし３のいずれか１項に記載のマイクロホンホルダー。
【発明の詳細な説明】
【技術分野】
【０００１】
本発明は、ドラムなどの打楽器にマイクロホンを取り付けるマイクロホンホルダーに関し、さらに詳しく言えば、打楽器に対する取付および撤収が容易で、しかも振動で脱落することがない打楽器用のマイクロホンホルダーに関するものである。
【背景技術】
【０００２】
例えば、スタジオやステージなどでドラムセットを使用する際、その個々の楽器に収音や拡声の目的でマイクロホンがセットされる。この場合、通常、マイクロホンはドラムのヘッド（打面）にきわめて近接して配置される。
【０００３】
マイクロホンを設置する方法のひとつとして、マイクロホンスタンドを用いる方法があるが、ドラムセットの周辺にはケーブルやアンプ，照明器具などが散在しているため、多くの場合、ドラムにマイクロホンホルダーを装着して、マイクロホンをセットするようにしている（例えば、特許文献１，２参照）。
【０００４】
その場合、ドラム奏者が楽器を叩いて演奏することから、マイクロホンには大きな振動が繰り返し加えられるため、楽器にしっかりとマイクロホンホルダーを取り付ける必要がある。また、楽器の演奏終了後に撤収する際には、楽器の数とマイクロホンの数が多いことから、簡単に着脱できることが好ましい。
【０００５】
ドラム（打楽器）用のマイクロホンホルダーは、一般的に、ドラムのリムを挟むようにして取り付けられるが、これには、ネジにより締め付ける方法と、バネでリムを挟む方法とがあり、実際に商品化されている。
【０００６】
【特許文献１】実開平２−６２８８９号公報
【特許文献２】特開平１１−２７５６７１号公報
【発明の開示】
【発明が解決しようとする課題】
【０００７】
しかしながら、ネジによる場合には、強固に取り付けられる反面、ネジを多く回す必要があることから、設置および撤収に時間がかかる。また、強く締め付けし過ぎると、リムが変形してしまうおそれがある。
【０００８】
これに対して、バネによる場合には、設置および撤収が容易であるものの、その挟持保持力が弱いため、強い振動が加わり続けると、脱落してしまうことがある。
【０００９】
また、いずれの場合にも、楽器によってリムのサイズがまちまちであるため、メーカーや小売り店側としては、各種のサイズのものを揃える必要があり、生産面や在庫管理の点での負担が大きい。
【００１０】
したがって、本発明の課題は、設置および撤収が容易で、しかも確実な保持力を発揮する特にドラムなどの打楽器に好適なマイクロホンホルダーを提供することにある。
【００１１】
上記課題を解決するため、請求項１に記載の発明は、スネアドラムなどの打楽器に対してマイクロホンを取り付けるマイクロホンホルダーにおいて、一端に上記打楽器のリムに係止される係止鉤を有する係止アームおよび上記係止アームの他端からほぼ直角に折り曲げられ上記打楽器のシェルに沿って下方に延在するガイドアームを含むほぼＬ字状に形成されたベース部と、支軸を介して上記ガイドアームに摺動可能かつ回動可能に保持され、上記リムの下端縁に係合する係合溝を有するフック部と、上記フック部を上記係止アーム側に向けて付勢するバネ手段と、上記支軸を中心として上記フック部を所定の角度範囲内で回動させる操作部とを備えていることを特徴としている。
【００１２】
請求項２に記載の発明は、請求項１において、上記ガイドアームは上記支軸を上記シェルの高さ方向に沿って摺動案内する第１ガイド溝を備え、上記第１ガイド溝には上記支軸の摺動を不可とし回動を可能とする位置決め部が所定の間隔をもって複数箇所に設けられていることを特徴としている。
【００１３】
請求項３に記載の発明は、請求項２において、上記支軸は少なくとも１つのＤカット面を有し、上記位置決め部は上記支軸の周面曲率とほぼ同曲率で形成された凹湾曲面からなることを特徴としている。
【００１４】
請求項４に記載の発明は、請求項１ないし３のいずれか１項において、上記フック部の上記係合溝を形成している２つの片のうち、反シェル側の一方の片には雌ネジが設けられ、上記操作部は上記ガイドアームを貫通して上記雌ネジと螺合する雄ネジを有し、上記ガイドアームには上記フック部とともに上記雄ネジを移動可能とする第２ガイド溝が形成されていることを特徴としている。
【発明の効果】
【００１５】
一端に上記打楽器のリムに係止される係止鉤を有する係止アームおよび上記係止アームの他端からほぼ直角に折り曲げられ上記打楽器のシェルに沿って下方に延在するガイドアームを含むほぼＬ字状に形成されたベース部と、支軸を介して上記ガイドアームに摺動可能かつ回動可能に保持され、上記リムの下端縁に係合する係合溝を有するフック部と、上記フック部を上記係止アーム側に向けて付勢するバネ手段と、上記支軸を中心として上記フック部を所定の角度範囲内で回動させる操作部とを備えている請求項１に記載の発明によれば、係止アームの係止鉤を打楽器のリムに引っかけてベース部をそのシェルに沿って配置し、バネ手段による付勢力にてフック部をリムの下端縁に係合可能な位置に粗動させたのち、操作部にてフック部を所定角度回動させることにより、フック部の係合溝がリムの下端縁に引き寄せられて当接するため、打楽器に対して簡単かつ確実にマイクロホンホルダーを取り付けることができる。
【００１６】
上記ガイドアームは上記支軸を上記シェルの高さ方向に沿って摺動案内する第１ガイド溝を備え、上記第１ガイド溝には上記支軸の摺動を不可とし回動を可能とする位置決め部が所定の間隔をもって複数箇所に設けられている請求項２に記載の発明によれば、位置決め部では、フック部がバネ手段の付勢力にて摺動しないため、片手で操作部を操作してフック部を回動させることができる。
【００１７】
上記支軸は少なくとも１つのＤカット面を有し、上記位置決め部は上記支軸の周面曲率とほぼ同曲率で形成された凹湾曲面からなる請求項３に記載の発明によれば、特に別部材を用いる必要がないため、位置決め部の構成を簡素化することができる。
【００１８】
上記フック部の上記係合溝を形成している２つの片のうち、反シェル側の一方の片には雌ネジが設けられ、上記操作部は上記ガイドアームを貫通して上記雌ネジと螺合する雄ネジを有し、上記ガイドアームには上記フック部とともに上記雄ネジを移動可能とする第２ガイド溝が形成されている請求項４に記載の発明によれば、操作部の雄ネジを回すことにより、フック部が所定角度回動してその係合溝がリムの下端縁に引き寄せられて当接するため、強固な取付状態が得られる。また、フック部はバネ手段の付勢力にてリムの下端縁に係合可能な位置に粗動させられているため、雄ネジを回す回数も少なくて済む。
【発明を実施するための最良の形態】
【００１９】
次に、図１ないし図５により、本発明の実施形態について説明する。図１は本発明によるマイクロホンホルダーの一実施形態を示す側面図、図２はそのベース部に含まれるガイドアームを示す図１の右側から見た部分側面図、図３はフック部を示す断面図、図４（ａ）（ｂ）はフック部を摺動案内する第１ガイド溝を示す断面図、図５（ａ）〜（ｃ）はマイクロホンホルダーの取付手順の一例を示す操作説明図である。
【００２０】
図１に示すように、このマイクロホンホルダー１は、基本的な構成として、マイクロホンＭを支持するベース部２と、ベース部２に摺動可能に取り付けられるフック部３と、フック部３に付勢力を与えるバネ手段４と、フック部３の操作部５とを備え、これらの各部材により、図５に示すように、打楽器（この例ではドラムＤ）のリムＲに装着される。
【００２１】
ベース部２は、一端（図１では左端）にドラムＤのリムＲに引っ掛けられる係止鉤２１３を有する係止アーム２１と、係止アーム２１の他端（図１では右端）からほぼ直角に折り曲げられ、ドラムシェルＳに沿って平行に延設されるガイドアーム２２とを一体的に有し、全体がＬ字状（図１では逆Ｌ字状）に形成されている。
【００２２】
係止アーム２１の上面には、マイクロホンＭを支持する支持板２１１がほぼ垂直に立設されており、支持板２１１の先端側に円筒状のサブホルダー２１５およびその締め付け軸２１６を介してマイクロホンＭが回動可能に取り付けられる。
【００２３】
図５を併せて参照して、係止アーム２１の下面は、リムＲの上端面Ｒ２に当接するように一段低く凹まされており、係止鉤２１３は、係止アーム２１の下面の一端側においてリムＲの内周面Ｒ１に引っ掛けられるように下方に向けて突設されている。
【００２４】
なお、係止鉤２１３をより確実にリムＲに引っ掛けるため、係止鉤２１３と係止アーム２１の下面（リムＲの内周面Ｒ１および上端面Ｒ２に対向する面）に図示しない滑り止め手段を設けてもよい。
【００２５】
この実施形態において、上記バネ手段４には、フック部３を係止アーム２１側に引き寄せるための引っ張りバネ４１が用いられており、係止アーム２１の側面には、引っ張りバネ４１の一端を固定するためのバネ固定部（ボス）２１４が一体的に設けられている。
【００２６】
図２を併せて参照して、ガイドアーム２２には、フック部３をドラムシェルＳの高さ方向（図１においてほぼ垂直方向）に摺動案内するための第１ガイド溝２３と、操作部５をフック部３とともにドラムシェルＳの高さ方向に摺動案内するための第２ガイド溝２４とが設けられている。
【００２７】
この場合、ガイドアーム２２は、長辺側がドラムシェルＳと対向する断面長方形の所定の厚みを有する帯板からなり、第１ガイド溝２３は、ガイドアーム２２の短辺側の両側面２２ａ，２２ａ間（図１において紙面と直交する方向、図２において左右方向）を貫通して形成されている。
【００２８】
これに対して、第２ガイド溝２４は、垂直方向に延びるスリット状としてガイドアーム２２の長辺側の背面２２ｂからその板厚方向（図１において左右方向、図２において紙面と直交する方向）に貫通して形成されている。
【００２９】
図３を参照して、フック部３は、上面にリムＲの下端Ｒ３（図５参照）に係合可能な係合溝３１を有するフック本体３０を備えている。係合溝３１は、その溝内にリムＲの下端Ｒ３が確実に入り込むようにするため、開口幅がリムＲの板厚よりも十分大きな断面Ｖ字状もしくはＵ字状等であることが好ましい。なお、係合溝３１の内周面に例えばゴムシートなどの緩衝材を添設しておくとよい。
【００３０】
フック本体３０の両側面には、図２に示すように、ガイドアーム２２の両側面２２ａ，２２ａに沿って摺動する一対の側板３２，３２が突設されており、側板３２，３２間に第１ガイド溝２３内に挿通される支軸３３が設けられている。フック部３は、支軸３３を介して第１ガイド溝２３に摺動可能かつ回動可能に保持される。
【００３１】
係合溝３１によりフック本体３０の上面側は、ドラムシェルＳ側の第１の片３１１と反ドラムシェルＳ側の第２の片３１２とを含む二股状に分岐されるが、図３に示すように、第２の片３１２には、後述する操作部５の雄ネジ５１が螺合される雌ネジ３４が形成され、また、第２の片３１２には、引っ張りバネ４１の他端が係止される。
【００３２】
支軸３３は真円の丸棒体であってもよいが、この実施形態では、第１ガイド溝２３内の所定の位置で、支軸３３の摺動を不可とし回動を可能とするため、支軸３３には１８０゜で対向する２面にＤカット面３３１，３３１が形成されている。Ｄカット面３３１，３３１の幅をＷとし、支軸３３のＤカット面以外の外径をφとする。なお、Ｄカット面は１つであってもよい。
【００３３】
図４（ａ）に示すように、第１ガイド溝２３は、Ｄカット面３３１，３３１の幅Ｗよりも若干広い幅をもって互いに平行に形成された内壁面２３１，２３１からなる通路部２３ａを備えているが、通路部２３ａには、支軸３３の摺動を不可とし回動を可能とするため位置決め部２３ｂが所定の間隔をもって複数箇所に設けられている。
【００３４】
この実施形態において、位置決め部２３ｂは、支軸３３の外径がφの部分における周面曲率とほぼ同曲率で内壁面２３１，２３１の対向する部位に形成された凹湾曲面２３２，２３２からなる。
【００３５】
これによれば、図４（ａ）に示すように、Ｄカット面３３１，３３１を内壁面２３１，２３１と平行とすることにより支軸３３が通路部２３ａに沿って摺動可能となり、図４（ｂ）に示すように、位置決め部２３ｂでは支軸３３が回動可能で、支軸３３を所定角度回動させることにより、支軸３３の外径がφの部分が凹湾曲面２３２内に入り込むことにより、支軸３３の摺動が不可となる。
【００３６】
再び図１，図２を参照して、操作部５は、雄ネジ５１と、雄ネジ５１を回すためのつまみ５２とを備えている。雄ネジ５１は、ガイドアーム２２の背面２２ｂ側から第２ガイド溝２４を通してフック部３の雌ネジ３４に螺合される。
【００３７】
つまみ５２の雄ネジ５１の根元側には、第２ガイド溝２４の溝幅よりも大径でガイドアーム２２の背面２２ｂに当接可能なスリーブ５２１が形成されており、上記雌ネジ３４と雄ネジ５１の螺合により、フック部３は支軸３３を中心として所定の角度範囲内で回動する。
【００３８】
次に、図５（ａ）〜（ｃ）を参照して、このマイクロホンホルダー１の取付手順の一例について説明する。
【００３９】
この例において、支軸３３が位置決め部２３ｂの位置にあるとき、つまみ５２を時計方向に回すとフック部３が支軸３３を中心に時計方向に回動し、反時計方向に回すとフック部３が支軸３３を中心に反時計方向に回動するものとする。
【００４０】
また、支軸３３が通路２３ａ内を摺動可能な状態、すなわちＤカット面３３１，３３１が通路２３ａの内壁面２３１，２３１と平行な状態にあるとき、係合溝３１内にリムＲの下端Ｒ３が確実に入り込むように、フック部３がドラムシェルＳ側寄りの回動位置にもたらされる。
【００４１】
マイクロホンホルダー１をドラムＤに取り付けるに当たっては、まず、図３（ａ）に示すように、係止アーム２１の係止鉤２１３をドラムＤのリムＲの内周面Ｒ１に引っ掛け、係止アーム２１の底面をリムＲの上端面Ｒ２に当接させて、ガイドアーム２２をドラムシェルＳに沿って配置する。
【００４２】
そして、フック部３を手で把持して引っ張りバネ４のバネ付勢力に抗しながら第１ガイド溝２３に沿ってリムＲの下端Ｒ３よりも下方にまで引き下ろす。この状態でフック部３から手を離すと、図３（ｂ）に示すように、フック部３が引っ張りバネ４の付勢力によって、係止アーム２１側に引き寄せられ、フック部３の係合溝３１内にリムＲの下端Ｒ３が入り込む。
【００４３】
その後、係合溝３１からリムＲの下端Ｒ３が外れない範囲内で、フック部３の支軸３３を直近の位置決め部２３ｂにまで移動させ、つまみ５２を時計方向に回す。
【００４４】
これにより、図４（ｂ）に示すように、支軸３３の外径がφの部分が凹湾曲面２３２内に入り込み支軸３３の摺動が拘束された状態で、図３（ｃ）に示すように、フック部３が支軸３３を中心として時計方向に回動し、フック部３の第１の片３１１がリムＲの下端縁に引き寄せられて当接する。
【００４５】
このようにして、マイクロホンボルダー１は、係止鉤２１３とフック部３とにより、ドラムＤのリムＲにしっかりと取り付けられる。
【００４６】
マイクロホンボルダー１を取り外すには、つまみ５２を反時計方向に回して、フック部３を反時計方向に回動させて図５（ｂ）に示す状態に戻すとともに、図４（ａ）に示すように、支軸３３のＤカット面３３１，３３１を通路２３ａの内壁面２３１，２３１と平行な状態としたうえで、図５（ａ）に示すように、フック部３をリムＲの下端Ｒ３から外せばよい。
【００４７】
上述したように、本発明によれば、マイクロホンボルダー１をドラムＤに取り付けるにしても、また、ドラムＤから取り外す（撤収）するにしても、粗動はバネ手段４（４１）により、また、微動はネジ５１によるため、短時間で容易に着脱することができる。
【００４８】
なお、上記実施形態では、フック部３の支軸３３にＤカット面３３１を形成するとともに、第１ガイド溝２３の通路部２３ａ内に、所定の間隔をもって位置決め部２３ｂを形成するようにしているが、フック部３の支軸３３を真円の丸棒体とし、第１ガイド溝２３の通路部２３ａを位置決め部２３ｂのない通路としてもよい。
【００４９】
また、上記実施形態では、マイクロホンホルダー１をドラムＤのリムＲに装着する場合について説明したが、本発明のマイクロホンホルダー１は、係止アーム２１の鉤部２１３とフック部３の２点で支持で挟み込んだ状態で取り付けできる形状ならば、被取付物は特に限定されない。
【図面の簡単な説明】
【００５０】
【図１】本発明によるマイクロホンホルダーの実施形態を示す側面図。
【図２】上記マイクロホンホルダーのベース部に含まれるガイドアーム示す背面図。
【図３】上記マイクロホンホルダーに含まれるフック部を示す要部断面図。
【図４】（ａ），（ｂ）第１スライド溝の一部分と支軸とを示す断面図。
【図５】（ａ）〜（ｃ）上記マイクロホンホルダーの取付手順の一例を示す操作説明図。
【符号の説明】
【００５１】
１  マイクロホンホルダー
２  ベース部
２１  係止アーム
２２  ガイドアーム
２３  第１ガイド溝
２４  第２ガイド溝
３  フック部
３０  フック本体
３１  係合溝
３２  側板
３３  支軸
３３１  Ｄカット面
３４  雌ネジ
４  バネ手段（引っ張りバネ）
５  操作部
５１  雄ネジ
５２  つまみ
【図１】
0004977572.tif 000002
【図２】
0004977572.tif 000003
【図３】
0004977572.tif 000004
【図４】
0004977572.tif 000005
【図５】
0004977572.tif 000006